(57)【特許請求の範囲】
【請求項１】
向精神物質検査ユニットであって、
少なくとも1つの向精神物質の指示を表示する表示モジュールと、
前記表示モジュールに解放可能に結合し、前記少なくとも1つの向精神物質を感知するためのセンサを含むセンサモジュールと、
唾液であるサンプルを受け入れ、前記センサモジュールが前記少なくとも1つの向精神物質を感知できるように、前記センサモジュールに解放可能に結合するためのサンプルカートリッジと、
を含む、向精神物質検査ユニット。
【請求項２】
前記サンプルを含んでいる、前記サンプルカートリッジに固定するためのスワブをさらに含む、請求項1に記載の向精神物質検査ユニット。
【請求項３】
前記少なくとも1つの向精神物質が薬物であり、前記センサモジュールがラテラルフローセンサを含む、請求項1または2に記載の向精神物質検査ユニット。
【請求項４】
前記少なくとも1つの向精神物質がアルコールであり、前記センサモジュールが血中アルコール濃度（BAC）検出用電気化学的燃料電池センサを含む、請求項1または2に記載の向精神物質検査ユニット。
【請求項５】
前記少なくとも1つの向精神物質が薬物およびアルコールを含み、前記センサモジュールが前記薬物を感知するためのラテラルフローセンサと、前記アルコールを感知するための電気化学的燃料電池とを含む、請求項1または2に記載の向精神物質検査ユニット。
【請求項６】
前記サンプルカートリッジが使い捨てである、請求項1〜5のいずれか一項に記載の向精神物質検査ユニット。
【請求項７】
前記サンプルカートリッジが情報を記憶するための電子メモリを含む、請求項1〜6のいずれか一項に記載の向精神物質検査ユニット。
【請求項８】
前記情報は、前記サンプルカートリッジの使用期間または前記サンプルカートリッジのバッチパラメータに関連する、請求項7に記載の向精神物質検査ユニット。
【請求項９】
前記センサモジュールは、精度を改善するために前記記憶された情報に従って感知を較正する、請求項7または8に記載の向精神物質検査ユニット。
【請求項１０】
前記センサモジュールは、前記サンプルカートリッジの代わりに前記センサモジュールに解放可能に結合するためのマウスピースを含む、請求項1〜9のいずれか一項に記載の向精神物質検査ユニット。
【請求項１１】
前記ユニットはハンドヘルドである、請求項1〜10のいずれか一項に記載の向精神物質検査ユニット。
【請求項１２】
前記センサは、前記センサモジュール内に完全に封入されている、請求項1〜11のいずれか一項に記載の向精神物質検査ユニット。
【発明の詳細な説明】
【技術分野】
【０００１】
本発明は、概して、アルコールまたは薬物のような向精神物質の存在を検査するのに用いられる、向精神物質検査システムに関する。
【背景技術】
【０００２】
本明細書中の任意の従来技術への言及は、従来技術が共通の一般知識の一部を形成することの承認または任意の形式の示唆としては解釈されず、また解釈されるべきではない。
【０００３】
アルコールまたは薬物のような向精神物質は、人間の能力を損なう可能性がある。
【０００４】
オーストラリアでは、一般に「RBT」と呼ばれる「無作為呼気検査」のために、警察官が道路沿いで運転者を止めることがある。固定された場所に多数の警察官（通常は10〜20名）が関与する作業では、俗に「ブーズバス」と呼ばれるものがしばしば使用される。RBTは、運転者が吹く（または呼気する）必要があるハンドヘルドRBTユニットを使用して行われる。RBTユニットは、サンプリングされた呼気から運転者の血中アルコール濃度（BAC）を感知し、0.05％の最大BACが一般的に強要される。予備BAC読み値が0.05％を超えていることが判明した運転者は、所定の期間待機する必要があり、その後、再検査される。
【先行技術文献】
【特許文献】
【０００５】
【特許文献１】国際公開第２０１１／１４３６９３号
【特許文献２】米国特許出願公開第２０１１／００５０４０７号
【特許文献３】米国特許出願公開第２０１１／００５０４０７号
【発明の概要】
【発明が解決しようとする課題】
【０００６】
最近、警察によって無作為薬物検査が行われている。しかし、無作為薬物検査は、アルコールRBTを行うほど簡単ではない。無作為薬物検査は、運転者からサンプルを採取した後、通常は警察車両に配置されている分析装置を使用してサンプルを分析することを含む。
【０００７】
好ましい実施形態は、改善された向精神物質検査ユニットを提供する。
【０００８】
本発明の一態様によれば、向精神物質検査ユニットであって、
向精神物質の指示を表示する表示モジュールと、
表示モジュールに解放可能に結合し、向精神物質を感知するためのセンサを含むセンサモジュールと、
唾液であるサンプルを受け入れ、センサモジュールが向精神物質を感知できるように、センサモジュールに解放可能に結合するためのサンプルカートリッジと、
を含む、向精神物質検査ユニットが提供される。
【０００９】
ユニットは、サンプルを含みカートリッジに結合するためのスワブをさらに含むことができる。
【００１０】
向精神物質は薬物であってもよく、センサモジュールはラテラルフローセンサを含んでもよい。カートリッジは使い捨てであってもよい。カートリッジは、情報を記憶するための電子メモリを含むことができる。情報は、カートリッジの使用期間またはカートリッジのバッチパラメータに関連することができる。センサモジュールは、精度を改善するために記憶された情報に従って感知を補償することができる。
【００１１】
向精神物質はアルコールであってもよく、センサモジュールは血中アルコール濃度（BAC）検出用電気化学的燃料電池センサを含んでもよい。センサモジュールは、サンプルカートリッジの代わりにセンサモジュールに解放可能に結合するためのマウスピースを含むことができる。
【００１２】
ユニットはハンドヘルドであってもよい。センサは、センサモジュール内に完全に封入されていてもよい。
【００１３】
本発明の別の態様によれば、向精神物質検査ユニットであって、
薬物またはアルコールの指示を表示する表示モジュールと、
表示モジュールに解放可能に結合し、薬物およびアルコールを感知するためのセンサを含むセンサモジュールと、
唾液であるサンプルを受け入れ、センサモジュールが薬物を感知できるように、センサモジュールに解放可能に結合するためのサンプルカートリッジと、
を含む、向精神物質検査ユニットが提供される。
【００１４】
好都合なことに、同じ検査ユニットを用いてアルコールおよび薬物を感知し、別個の検査ユニットの必要性を回避することができる。
【００１５】
本発明の別の態様によれば、向精神物質検査ユニットであって、
サンプルを受け入れ、センサが向精神物質を感知できるようにセンサに解放可能に結合するためのサンプルカートリッジを含む、向精神物質検査ユニットが提供される。
【００１６】
本発明の別の態様によれば、向精神物質検査ユニットのためのサンプルカートリッジであって、サンプルカートリッジが、唾液であるサンプルを受け入れるように構成されており、センサモジュールが向精神物質を感知できるように、センサモジュールに解放可能に固定されるように構成されている、向精神物質検査ユニットのためのサンプルカートリッジが提供される。
【００１７】
本発明の他の態様によれば、ハンドヘルド無作為呼気検査（RBT）ユニットであって、
血中アルコール濃度（BAC）の指示を表示する表示モジュールと、
表示モジュールに解放可能に結合し、BACを感知するためのセンサを封入するためのセンサモジュールと、
を含む、ハンドヘルド無作為呼気検査（RBT）ユニットが提供される。
【００１８】
センサモジュールは、較正のために表示モジュールから解放することができ、センサが損傷し、またはその較正が損なわれるのを妨げるために、センサを収容する。好ましくは、センサは、センサモジュール内に完全に収容されまたはカプセル化され、指でアクセスすることはできない。センサは、センサモジュール内で気密または水密に流体封止することができる。センサモジュールは、使い捨てであってもよく、表示モジュールと比較して比較的安価な部品を含み得る。
【００１９】
表示モジュールは、表示モジュールハウジングを含むことができ、センサモジュールは、センサを封入するためのセンサモジュールハウジングを含むことができる。モジュールは、ハウジングが互いに固定されたときに接続する露出した電気インターフェースを含むことができる。センサモジュールハウジングは、ハウジングをともに結合して、その後露出されなくなる電気インターフェースを接続するときに、表示モジュールハウジングに対して並進させることができる。RBTユニットは、ハウジングがともに結合されるのを受けて連続体を画定することができる。
【００２０】
表示モジュールハウジングは、センサモジュールハウジングがスライド可能なドッキングベイを画定することができ、センサモジュールハウジングは、表示モジュールハウジングによって画定される一対の細長い凹部内に受け入れられるための一対の突出レールを画定する。センサモジュールハウジングは、表示モジュールハウジングの締結穴と整合するように配置することができ、ハウジングをともに固定するための締結具を受け入れることができる締結ねじ穴を画定することができる。
【００２１】
センサは、電気化学的燃料電池センサを含んでもよい。電気インターフェースは、電力インターフェースおよび通信インターフェースであってもよい。
【００２２】
表示モジュールは、
表示モジュールハウジング内に配置される、表示モジュールを制御するための表示モジュールコントローラ回路と、
表示モジュールコントローラ回路に結合されている、BACの指示を読み取り数値の形式で表示するための液晶ディスプレイ（LCD）と、
表示モジュールコントローラ回路に結合されている、ユーザがRBTユニットを操作することを可能にするユーザインターフェースと、
を含むことができる。
【００２３】
表示モジュールコントローラ回路は、
ソフトウェアを実行するためのプロセッサ装置と、
プロセッサ装置に結合されている、センサモジュールへの電力供給および前記センサモジュールとの通信を容易にするための、露出された表示モジュール電気インターフェースと、
プロセッサ装置に電力を供給し内部バッテリを充電するためのバッテリおよび充電システムと、
外部デバイスとのインターフェースのためのBluetooth（登録商標）通信送受信モジュールと、
使用中にプロセッサ装置によって記憶されるべきRBTユニットの位置を感知するための全地球測位システムモジュールと、
を含むことができる。
【００２４】
センサモジュールは、
ソフトウェアを実行するためのプロセッサ装置と、
プロセッサ装置に結合されている、表示モジュールからの電力の受け取りおよび表示モジュールとの通信を容易にするための、露出されたセンサモジュール電気インターフェースと、
BACを検出するための、プロセッサ装置に結合されている電気化学的燃料電池センサと、補助電力をプロセッサ装置に供給するためのバックアップバッテリと、
を含むことができる。
【００２５】
センサモジュールプロセッサ装置は、シリアル番号の形式の固有の識別子を記憶するための不揮発性メモリを含むことができる。
【００２６】
センサモジュールは、センサモジュールの内圧を測定するための圧力センサをさらに含むことができる。センサモジュールは、ポンプおよびソレノイドをさらに含むことができる。
【００２７】
本発明の他の態様によれば、ハンドヘルド無作為呼気検査（RBT）ユニットのための交換可能センサモジュールであって、センサモジュールは、血中アルコール濃度（BAC）の指示を表示する表示モジュールに解放可能に固定され、センサモジュールは、BACを感知するためのセンサを封入するように構成されている、センサモジュールが提供される。
【００２８】
本発明の他の態様によれば、ハンドヘルド無作為呼気検査（RBT）ユニットのための表示モジュールであって、表示モジュールは、血中アルコール濃度（BAC）の指示を表示するように構成されており、センサモジュールに解放可能に固定されることが可能であり、センサモジュールは、BACを感知するためのセンサを封入する、表示モジュールが提供される。
【００２９】
本発明の他の態様によれば、ハンドヘルド無作為呼気検査（RBT）ユニットを組み立てる方法であって、RBTユニットは、血中アルコール濃度（BAC）の指示を表示するための表示モジュールと、BACを感知するためのセンサを封入するセンサモジュールとを含み、方法は、センサモジュールを表示モジュールに対して解放可能に固定するステップを含む、方法が提供される。
【００３０】
解放可能に固定するステップは、表示モジュールに対してセンサモジュールを並進（またはスライド）させることを含むことができる。センサは、モジュールの露出した電気インターフェースが接続され、その後、もはや露出しなくなるように並進することができる。
【００３１】
固定するステップは、ねじ式締結具を用いてセンサモジュールを表示モジュールに固定するステップをさらに含むことができる。
【００３２】
この方法は、表示モジュールのユーザインターフェースを作動させるステップをさらに含むことができる。
【００３３】
ユーザインターフェースの作動に応答して、この方法はさらに、
表示モジュールを用いてセンサモジュールの較正設定を検証するステップと、
RBTユニットの完全性に対して法的な異議申し立てがある場合に使用することができるトレーサブルレコードを形成する較正レコードを記憶するステップと、
をさらに含むことができる。
【００３４】
検証するステップは、センサモジュールの較正設定を所定の許容可能な限界と比較することを含むことができる。検証するステップは、表示モジュールが、センサモジュールに記憶された固有の識別子が有効であるか否かを判定することと、表示モジュールが、センサモジュールに記憶されたモデル番号が有効であるか否かを判定することと、表示モジュールが、センサモジュールのファームウェアが有効であるか否かを判定することとを含むことができる。
【００３５】
較正レコードは、表示モジュールに記憶することができ、表示モジュールとセンサモジュールの両方の固有のシリアル番号と、表示モジュールとセンサモジュールの両方のファームウェアバージョン番号と、ユーザインターフェースの作動の日付および時刻と、表示モジュールによるセンサモジュールの較正設定の検証確認とを含むことができる。
【００３６】
この方法は、表示モジュールが、センサモジュールが表示モジュールからいつ分離されるかを決定するためにポーリングするステップをさらに含むことができる。
【００３７】
この方法は、
センサモジュールの最後の較正日に対して経過時間を監視するステップと、
経過時間が所定の非較正期間を超える直前と超えたときの両方の通知を発行するステップと、
をさらに含むことができる。
【００３８】
この方法は、
各モジュールにおいて日付および時間を個別に追跡するステップと、
追跡されている日付または時間の差の検出に応答して、表示モジュールの日付および時間をセンサモジュールの日付および時間に設定するステップと、
をさらに含むことができる。
【００３９】
この方法は、センサモジュールの較正中にセンサモジュールを別のセンサモジュールに交換するステップをさらに含むことができる。交換するステップは、ねじ式締結具を分離することと、センサモジュールを表示モジュールから並進（またはスライド）させることとを含むことができる。
【００４０】
本発明の他の態様によれば、ハンドヘルド無作為呼気検査（RBT）ユニットを分解する方法であって、RBTユニットは、血中アルコール濃度（BAC）の指示を表示するための表示モジュールと、BACを感知するためのセンサを封入するセンサモジュールとを含み、方法は、センサモジュールを表示モジュールに対して分離するステップを含む、方法が提供される。
【００４１】
本明細書に記載された特徴のいずれかは、本発明の範囲内で本明細書に記載される他の特徴のうちの任意の1つまたは複数との任意の組み合わせにおいて組み合わせることができる。
【００４２】
本発明の好ましい特徴、実施形態および変形は、当業者が本発明を実施するのに十分な情報を提供する以下の詳細な説明から明らかに成り得る。詳細な説明は、決して本発明の前述の概要の範囲を限定するものと考えられるべきではない。詳細な説明は、以下のような複数の図面を参照する。
【図面の簡単な説明】
【００４３】
【図１】本発明の一実施形態によるハンドヘルド無作為呼気検査（RBT）ユニットの斜視図である。
【図２ａ】図1のハンドヘルドRBTユニットを組み立てる方法に関連する一連のステップを示す図である。
【図２ｂ】図1のハンドヘルドRBTユニットを組み立てる方法に関連する一連のステップを示す図である。
【図２ｃ】図1のハンドヘルドRBTユニットを組み立てる方法に関連する一連のステップを示す図である。
【図３】図1のハンドヘルドRBTユニットのブロック図である。
【図４】図1のハンドヘルドRBTユニットを組み立てる方法のフローチャートである。
【図５】薬物サンプルカートリッジを備えた図1のユニットの正面図である。
【発明を実施するための形態】
【００４４】
本発明の一実施形態によれば、図1に示されるようなハンドヘルド無作為呼気検査（RBT）ユニット2が提供される。図2に最もよく示されるように、モジュール式RBTユニット2は、血中アルコール濃度（BAC）の指示を表示するための表示モジュール4と、表示モジュール4に解放可能に結合するためのセンサモジュール6とを含む。センサモジュール6は、BACを感知するためのBACセンサを含み、較正のために表示モジュール4から解放することができる。露出したセンサモジュール6はBACセンサを収容し、それによって、センサが損傷し、またはその較正が損なわれることを妨げる。したがって、露出した解放可能なBACセンサを有する他のRBTユニットと比較して、RBTユニット2の完全性が向上する。
【００４５】
BACセンサは、センサモジュール6内に完全に収容されまたはカプセル化され、指でアクセスすることはできない。BACセンサはまた、センサモジュール6内で気密かつ水密的に流体封止されて、例えばRBTユニット2が雨の中で使用されるか、または、水たまりに落とされた場合に、要素へのセンサの露出を妨げる。センサモジュール6は、再使用可能であってもよく、または、使い捨てであってもよく、それによって、表示モジュール4と比較して比較的安価な部品を含む。RBTユニット2の詳細な説明を以下に与える。
【００４６】
図2を参照すると、表示モジュール4は表示モジュールハウジング8を含み、センサモジュール6はセンサを収容するためのセンサモジュールハウジング10を含む。センサモジュールハウジング10は、呼気サンプルを供給することができる入口を有する取り外し可能なマウスピースアタッチメント12を有する。モジュール4、6は、ハウジング8、10が互いに固定されたときに接続する露出した電気インターフェース14を含む。図2bを参照すると、センサモジュールハウジング10は、ハウジング8、10をともに結合して、電気インターフェース14を接続するときに、表示モジュールハウジング8に対して並進される。ハウジング8,10がともに固定されると、電気インターフェース14はもはや露出されず、RBTユニット2は図2cに示されるように連続体を画定する。
【００４７】
図2aを参照すると、表示モジュールハウジング8は、センサモジュールハウジング10が中でスライド可能なドッキングベイ16を画定する。センサモジュールハウジング10は、表示モジュールハウジング8によって画定される一対の細長い凹部20内に受け入れられる一対の対向する突出レール18を画定する。センサモジュールハウジング10はまた、表示モジュールハウジング8の締結穴24と整合するように配置することができる締結ねじ穴22も画定する。図2cに示されるように、穴22,24は、ハウジング8,10をともに固定するためのねじ26（すなわち締結具）を受け入れることができる。
【００４８】
図3を参照すると、表示モジュール4およびセンサモジュール6の電気インターフェース14は、電力および通信インターフェースである。さらに、表示モジュール4は、電力がそれを通じてバッテリおよび充電システム30に供給され、パーソナルコンピュータ（PC）と通信するためのものである別の電気インターフェース28をさらに含む。
【００４９】
表示モジュール4は、表示モジュールハウジング8内にある、表示モジュール4を制御するために使用される表示モジュールコントローラ回路32を含む。液晶ディスプレイ（LCD）34は、表示モジュールコントローラ回路32に結合され、BACの指示を読み取り数値の形式で表示する。図1を簡単に参照すると、ユーザインターフェース36も表示モジュールコントローラ回路32に結合され、ユーザがRBTユニット2を操作することを可能にする。
【００５０】
図3に戻って、表示モジュールコントローラ回路32は、表示モジュール4を動作させるためのコンピュータ可読命令の形態のソフトウェアを実行するためのプロセッサ装置36を含む。表示モジュールコントローラ回路32はまた、プロセッサ装置36に結合されている、センサモジュール6の電力供給およびセンサモジュール6との通信を容易にするための露出した表示モジュール電気インターフェース14を含む。内部バッテリおよび充電システム30は、プロセッサ装置36に電力を供給し、インターフェース28を介して供給される電力を使用して内部バッテリを充電するのに適している。Bluetooth(登録商標)通信送受信モジュール38は、RBTユニット2からプロセッサ装置36によって記憶される較正レコードをダウンロードするために使用することができ、外部デバイスとインターフェースすることができる。表示モジュールコントローラ回路32はまた、検査中にプロセッサ装置36によって記憶されるRBTユニット2の位置を検知するための全地球測位システムモジュール40を含む。
【００５１】
センサモジュール6は、センサモジュール6を動作させるためのコンピュータ可読命令の形態のソフトウェアを実行するためのプロセッサ装置42を含む。プロセッサ装置42は、センサモジュール6に対応するシリアル番号の形式の固有の識別子を記憶するための不揮発性メモリを含む。さらに、センサモジュール6は、プロセッサ装置42に結合されている、表示モジュール4からの電力の受け取りおよび表示モジュール4との通信を容易にするための露出したセンサモジュール電気インターフェース14を含む。内部BACセンサ44は、BACを検出するための電気化学的燃料電池センサであり、プロセッサ装置42に結合されている。センサモジュール6は、プロセッサ装置42に補助電力を供給するためのバックアップバッテリ46をさらに含む。
【００５２】
センサモジュール6は、呼気検査を容易にする既知の構成要素をさらに含む。特に、センサモジュール6は、検査中および44の較正中にセンサモジュール6に送達される呼気量を測定するための圧力センサ48を含む。センサモジュール6は、マウスピース取り付け点に結合されたポンプおよびソレノイド50と、検査中に呼気サンプルを供給するための入口12とをさらに含む。
【００５３】
ここで、ハンドヘルド無作為呼気検査（RBT）ユニット2を組み立てる方法60を図4を参照して説明する。
【００５４】
最初に、表示モジュール4とセンサモジュール6とは、図2aに示されるように分離されている。
【００５５】
ステップ62において、センサモジュール6が、表示モジュール4に対して解放可能に固定される。さらに詳述すると、センサモジュール6は、図2bに示されるように、表示モジュール4に対して並進またはスライドされる。センサモジュール6は、図2cに示されるように、モジュール4、6の露出した電気インターフェース14が接続され、その後、もはや露出しなくなるように並進させる。その後、ねじ26がモジュール4,6によって受け入れられ、それらの分離を妨げる。
【００５６】
ステップ64において、表示モジュール4のユーザインターフェース36が、任意のアクチュエータを押すことによって作動される。
【００５７】
ステップ66で、ステップ64におけるユーザインターフェース36の作動に応答して、センサモジュール6の較正設定が表示モジュール4によって検証される。この検証ステップは、センサモジュール6のプロセッサ装置42における記憶された較正設定を、表示モジュール4のプロセッサ装置36に記憶された所定の許容限界と比較することを含む。この検証ステップはまた、表示モジュール4が、センサモジュール6のプロセッサ装置42に記憶された固有の識別子が有効であるか否かを判定することと、表示モジュール4が、センサモジュール6のプロセッサ装置42に記憶されたモデル番号が有効であるか否かを判定することと、表示モジュール4が、センサモジュール6のファームウェアが有効であるか否かを判定することとを含む。
【００５８】
ステップ68において、RBTユニット2の完全性に対して法的な異議申し立てがある場合に使用することができるトレーサブルレコードを形成する較正レコードが記憶される。較正レコードは、表示モジュール4のプロセッサ装置36に記憶され、表示モジュール4とセンサモジュール6の両方の固有のシリアル番号と、表示モジュール4とセンサモジュール6の両方のファームウェアバージョン番号と、ステップ64におけるユーザインターフェース36の作動の日付および時刻と、ステップ66において実施されている表示モジュール4によるセンサモジュール6の較正設定の検証確認とを含む。
【００５９】
問い合わせステップ70において、表示モジュール4は、ユーザインターフェース14をポーリングして、センサモジュール6がいつ表示モジュール4から分離されているかを決定する。センサモジュール6が表示モジュール4から分離されていない場合、方法60はステップ70に留まり、RBTユニット2は正常に動作してRBTを実行することができる。
【００６０】
センサモジュール6が表示モジュール4から分離されている場合、方法60はステップ62に戻り、センサモジュール6のオフサイト較正中にセンサモジュール6を別のセンサモジュールと交換することができる。この手順の間に、ねじ式締結具26が取り外され、センサモジュール6が表示モジュール8からスライドされて、センサモジュール6が表示モジュール4から分離される。
【００６１】
上述した方法60に併せて、RBTユニット2はまた、
センサモジュールに記憶されている最後の較正日に対して経過時間を監視するバックグラウンドステップと、
経過時間が所定の非較正期間を超える直前と超えたときの両方の、ユーザに対する警告通知をLCD34上で発行するバックグラウンドステップと、
を実施する。
【００６２】
上述した方法60に併せて、RBTユニット2はまた、
各モジュール4，6において日付および時間を個別に追跡するバックグラウンドステップと、
追跡されている日付または時間の差の検出に応答して、表示モジュール4の日付および時間をセンサモジュール6の日付および時間に設定するバックグラウンドステップと、
を実施する。
【００６３】
方法60に関して上述したRBTユニット2の組み立ておよび分解は簡単であり、正式な訓練を一切必要とせずに警察官によって容易に実施することができる。さらに、方法60は、内部BACセンサ44を損傷するか、または較正に影響を及ぼすおそれなく、悪天候下で行うことができる。
【００６４】
図5を参照すると、ハンドヘルドRBTユニット2は、薬物およびアルコールを検査するための向精神物質検査ユニット2である。特に、センサモジュール6のマウスピース12は取り外すことができ、薬物サンプルカートリッジ100が、その場所においてセンサモジュール6にドッキングされ得る。好都合なことに、同じ検査ユニット2を用いてアルコールおよび薬物を感知し、別個の検査ユニットの必要性を回避することができる。
【００６５】
サンプルカートリッジ100は、唾液サンプルを受け入れ、センサモジュール6が向精神薬を感知することができるように、センサモジュール6に解放可能に結合される。ユニット2は、唾液サンプルを含むスワブ102をさらに含む。スワブ102は、サンプル端部104をカートリッジサンプルドック106に挿入することによってカートリッジ100に固定される。
【００６６】
センサモジュール6は、薬物を感知するための、センサモジュール6内に完全に封入されるラテラルフローセンサを含む。使い捨てカートリッジ100は、使い捨てでありながら、情報を記憶するための内蔵電子メモリを含む。記憶される情報は、カートリッジ100の使用期間またはカートリッジ100のバッチパラメータに関連する。センサモジュール6は、精度を改善するために記憶された情報に従って感知を較正する。
【００６７】
表示モジュール4およびセンサモジュール6の薬物機能は、前述したアルコール機能のものと同じである。
【００６８】
当業者であれば、本発明の範囲から逸脱することなく多くの実施形態および変形が可能であることを理解するであろう。
【００６９】
法律に従って、本発明は、多かれ少なかれ構造的または系統的特徴に特有の文言で記載されている。本明細書に記載された手段は、本発明を実施する好ましい形態を含むため、本発明は図示または記載された特定の特徴に限定されないことを理解されたい。
【００７０】
本明細書を通じて、「1つの実施形態」または「一実施形態」は、その実施形態に関連して説明される特定の特徴、構造、または特性が、本発明の少なくとも1つの実施形態に含まれることを意味する。したがって、本明細書全体にわたる様々な場所における「1つの実施形態において」または「一実施形態において」という表現の出現は、必ずしもすべて同じ実施形態を指しているわけではない。さらに、特定の特徴、構造、または特性は、1つまたは複数の組み合わせで任意の適切な方法において組み合わせることができる。
【図１】
0006987787.tif 000002
【図２ａ】
0006987787.tif 000003
【図２ｂ】
0006987787.tif 000004
【図２ｃ】
0006987787.tif 000005
【図３】
0006987787.tif 000006
【図４】
0006987787.tif 000007
【図５】
0006987787.tif 000008